(57)【要約】 【課題】ユニット部材の縦方向の補強性を図るための作業が極めて容易かつ安定してなされ、極めて合理的なる補強目的が達成されるように構成した新規のユニット部材の提供を図る。【解決手段】外側中空体の内部に載頭円錐形に形成されている内側中空体を連設するように構成したユニット部材であって、外側中空体の上端部内壁に所要数の安定支持用第１突起を突設し、内側中空体２の下端部内壁に所要数の安定支持用第２突起を突設し、対向する上下の安定支持用第１突起の間に補強用筒体を、また、対向する安定支持用第２突起の間に補強用棒状体を、当該両者または何れか一方を立設支持させるように構成したユニット部材。【選択図】  図１
2014095214.tif 000002
【特許請求の範囲】
【請求項１】
先端に向かって漸次小径となる載頭円錐形状に形成されている外側中空体の内部に、下端に向かって漸次小径となる載頭円錐形に形成されている内側中空体を、その上端部において、水平状縁取面部を介在させて連設して成るユニット部材であって、
外側中空体の上端部内壁に所要数の安定支持用第１突起を突設し、内側中空体の下端部内壁に所要数の安定支持用第２突起を突設し、上記形態のユニット部材を所要数、上下を互い違いに逆転させて縦方向に連結した状態において、対向する上下の安定支持用第１突起の間に補強用筒体Aを、また、対向する安定支持用第２突起の間に補強用棒状体Bを、若しくは、当該棒状体A,Bの何れか一方を、立設支持させるように構成したユニット部材。
【請求項２】
外側中空体を載頭四角錐状に形成して成る請求項１に記載のユニット部材。
【請求項３】
安定支持用第１突起及び安定支持用第２突起を夫々同一高さ位置に三個以上等間隔で設けるように構成した請求項１または請求項２の何れかに記載のユニット部材。
【発明の詳細な説明】
【技術分野】
【０００１】
本発明は、通水性を有する構造体、自然水を貯蔵する構造体、或いは、水上に浮かべ、若しくは水中に沈める構造体、その他各種用途に使用することができる構造体を構築するためのユニット部材であって、所要数を前後左右に連結することに依って、前記したような構造体の構築を図るためのものである。
【背景技術】
【０００２】
従来、上述したような各種の構造体を構築するためのユニット部材としては、内外二つの円錐状筒体を組み合わせたもの（例えば、特許文献１及び特許文献２参照。）、これに横方向の連結用盤体を設けたもの（例えば、特許文献３参照。）等が存在する。
そして、これらのユニット部材は、その縦方向の連結手段として、互いの隣接部分に設けた連結機構に依存するように構成したものであった（例えば、特許文献１参照。）。  そして、当該連結のための補強手段を別個に設けることは行われていなかった。
【先行技術文献】
【特許文献】
【０００３】
【特許文献１】特許第４０８４４３７号
【特許文献２】特許第３９３０５７７号
【特許文献３】特開2003-22475号公報
【発明の概要】
【発明が解決しようとする課題】
【０００４】
本発明は、上述したようなユニット部材の縦方向の補強性を図り、当該補強のための作業が極めて容易かつ安定してなされると共に、極めて合理的なる補強目的が達成されるように構成した新規のユニット部材の提供を図ったものである。
【課題を解決するための手段】
【０００５】
本発明は請求項１に記載のように、先端に向かって漸次小径となる載頭円錐形に形成された外側中空体１の内部に、下端に向かって漸次小径となる載頭円錐形に形成されている内側中空体２を、その上端部において、水平状縁取面部３を介在させて連設して成るユニット部材であって、外側中空体１の上端部内壁に所要数の安定支持用第１突起７を突設し、内側中空体２の下端部内壁に所要数の安定支持用第２突起８を突設し、上記形態のユニット部材所要数を、上下を互い違いに逆転させて縦方向に連結した状態において、対向する上下の安定支持用第１突起７の間に補強用筒体Aを、また、対向する安定支持用第２突起８の間に補強用棒状体Bを、若しくは、当該棒状体A,Bの何れか一方を、立設支持させるように構成したユニット部材に係る。
【０００６】
本発明は請求項２に記載のように、外側中空体を載頭四角錐状に形成して成る請求項１に記載のユニット部材を実施の態様とする。
【０００７】
本発明は請求項３に記載のように、安定支持用第１突起７及び安定支持用第２突起８を夫々同一高さ位置に三個以上等間隔で設けるように構成した請求項１または請求項２の何れかに記載のユニット部材を実施の態様とする。
【発明の効果】
【０００８】
本発明請求項１に記載のような構成に基づき、縦方向に連なるユニット部材相互の連結性が極めて強力化される。  すなわち、図１に示すように、補強用筒体Aと補強用棒状体Bが中心柱のような存在となり、そのため、ユニット部材相互の連結性が高められると同時に、強度的増強化、特に水平強度が著しく高められることとなる。
【０００９】
また、補強用筒体Aと補強用棒状体Bとの何れか一方を設けることに依り、強度的増強性が高められるのは当然であるが、これを両方用いた場合は、相乗的効果が生じてより一層強力なる強度増強が図られる。  すなわち、図１に示すように、取り付けられる補強用筒体Aと補強用棒状体Bは、一方の端部が他方の中央に位置すると言うように、互い違いとなるように取付けられるため、強度的弱点とする互いの連接部分を互いの中央部分でカバーすると言うような強度的補強効果が奏される。  換言すると、補強用筒体Aと補強用棒状体Bを端部が並んだ状態で取り付けられた場合、弱点とする連接部が並んでしまうため、補強上の問題点とされるが、本発明にあっては上記構成に基づきこのような問題を解消する。
【００１０】
なお、補強用筒体Aと補強用棒状体Bとは口径の相違から強度的相違が存在すると同時にコスト的な差異も存在する。  従って、使用目的に基づく必要強度に応じて、何れか一方を設けることにより、構築コストの低廉化を図ることができる。
【００１１】
また、補強用筒体Aと補強用棒状体Bを構築物の高さに対応させた一本のものとした場合、これの挿通作業は極めて困難化するばかりでなく、地震発生時の横振れに対して弱いと言うような問題が生じてしまう。  これに対して本発明はユニット部材２個に対して１本と言うように分割化してあるため、このような横振れに対しては、その連接部で振れ動きを吸収するため、一種の免震作用が奏されることとなる。
【００１２】
本発明は請求項２に記載のような構成、すなわち、外側中空体を四角錐状に形成したものを用いることに依り、複数個連結した状態において角柱状を呈するようなユニット部材に対する実施も可能化される。  従って、本発明の汎用性が高められる。
【００１３】
本発明は請求項３に記載のような構成、すなわち、安定支持用第１突起及び安定支持用第２突起を夫々同一高さ位置に三個以上等間隔で設けるように構成することに依って、必要とする補強強度に応じて、その数を適宜設定することができる。
【図面の簡単な説明】
【００１４】
【図１】本発明の連結状態を表した説明用縦断面図である。
【図２】本発明の実施対象とするユニット部材の一例を表した斜視図である。
【図３】同上縦断面図である。
【図４】図３におけるX―X線端面図である。
【図５】図３におけるY―Y線端面図である。
【図６】本発明の実施対象とするユニット部材の他例を表した斜視図である。
【図７】同上説明用縦断面図である。
【発明を実施するための形態】
【００１５】
本発明の実施対象とするユニット部材は、先端に向かって漸次小径となる載頭円錐形または四角錐状に形成されて外側中空体の内部に、下端に向かって漸次小径となる載頭円錐形に形成されている内側中空体を、その上端部において、水平状縁取面部を介在させて連設するように構成したユニット部材を実施対象とするものである。
【００１６】
図１乃至図５は本発明の第１の実施例を表したものである。  同図において、１は先端に向かって漸次小径となる載頭円錐形を呈する外側中空体、２は下端に向かって漸次小径となる載頭円錐形に形成されている内側中空体であって、両者はその上縁において、水平状縁取面部３を介在させて連設してある。
【００１７】
４は外側中空体１の下端縁に連設した十文字状を呈する盤体であって、図１に示すように縦方向に連ねる際の互いの安定化と、横方向に連ねる際の連結片としての役割を担うものである。
【００１８】
５及び６は上記した水平状縁取面部３に形成した連結用突起と連結用係合孔を示し、縦方向に連結する際に係合させるためのものである。
【００１９】
７は外側中空体の上端部内壁に所要数突設した安定支持用第１突起であって、補強用筒体Aに対する端部の安定的支持と中心保持を成すためのものである。  すなわち、図１に示すように、外側中空体１と内側中空体２との間に補強用筒体Aを挿し込んだ際、その端部外面が当該安定支持用第１突起７に圧接され、その安定支持と中心保持が成されるように構成してある。
【００２０】
また、上記した安定支持用第１突起７であるが、これは等高にして等間隔に３個以上設けることに依って、補強用筒体Aの正確なる中心合せが出来るように構成してある。  更に、当該安定支持用突起７の形状であるが、その全長は垂直縁状を保つと共に、その受け入れ端側は弧状に形成することに依って、補強用筒体Aの端部受け入れの円滑性が図られるように構成してある。
【００２１】
８は内側中空体２の下端部内壁に所要数突設した安定支持用第２突起であって、補強用棒状体Bに対する端部の安定的支持と中心保持とを成すためのものである。  すなわち、図１に示すように、内側中空体２内に補強用棒状体Bを挿し込んだ際、その端部外面が当該安定支持用第２突起８に圧接され、その中心位置での安定的支持が成されるように構成してある。
【００２２】
なお、上記した補強用棒状体Bであるが、これは筒状のものであっても丸棒状のものであつても可とする。
【００２３】
更に、上記した安定支持用第２突起８であるが、これは等間隔で３個以上設けることに依って、補強用棒状体Bの正確なる中心合せが出来るように構成してある。  更に、当該安定支持用第２突起８の形状であるが、その全長は垂直縁状を保つと共に、その受け入れ端側は弧状に形成することに依って、補強用筒体Aの端部受け入れの円滑性が図られるように構成してある。
【００２４】
本発明に係るユニット部材は、図１に示すように所要数を互いに逆転させた互い違いの状態で縦方向に連結して構築物建設に供するものである。  この時、同図に示すように、安定支持用第１突起７を介して補強用筒体Aの取付け、または、安定支持用第２突起８を介して補強用棒状体Bの取付けを行うことに依り、各ユニット部材相互の連結の補強性、並びに中心合せがなされることと成る。  なお、上記した補強用筒体Aと補強用棒状体Bの取付けは、何れか一方だけを用いるようにしても良い。
【００２５】
図６及び図７は本発明の他の実施例を表したものである。  すなわち、同図に示す実施例と前述した実施例との大きな相違は、対象とするユニット部材を、前述した実施例の場合は外側中空体１が載頭円錐形を呈するものであるのを、載頭四角錐状を呈するものとした点にある。  これは構築対象または用途に応じて任意選定する事項、すなわち、ユニット部材を用いて円柱状の構築を行う場合と、角柱状の構築を行う場合とに使い分ける程度の相違であり、ユニット部材と言う基本的形態上の構成及び作用効果は殆ど同一である。
【００２６】
図６及び図７において、１１は先端に向かって漸次小径となる載頭四角錐形を呈する外側中空体、１２は下端に向かって漸次小径となる載頭円錐形に形成されている内側中空体であって、両者はその上縁において、水平状縁取面部１３を介在させて連設してある。
【００２７】
１５及び１６は連結用突起と連結用係合孔を示し、１７は安定支持用第１突起、１８は安定支持用第１突起８を示し、これらは述した第１実施例の場合と同様な形態および使用目的が果たされるものである。  １９は内側中空体１２の端部小径面に開設した水抜き用孔である。
【００２８】
そして、当該第２実施例の場合も第１実施例の場合と同様に、図７に示すように補強用筒体Aと補強用棒状体Bの両者、または何れか一方の取付けがなされるように構成してある。
【００２９】
なお、上述した第１実施例と第２実施例の何れの場合も、その連結形態は縦方向だけではなく、図面には示していないが左右方向にも互いに連結することができるようにな適宜手段を採るものとする。
【符号の説明】
【００３０】
A  補強用筒体
B  補強用棒状体
１  外側中空体
２  内側中空体
３  水平状縁取面部
４  盤体
５  連結用突起
６  連結用係合孔
７  安定支持用第１突起
８  安定支持用第２突起  
11 
外側中空体
12  内側中空体
13  水平状縁取面部
15  連結用突起
1６  連結用係合孔
17  安定支持用第１突起
18  安定支持用第２突起  
19 
水抜き用孔
【図６】
2014095214.tif 000003
【図１】
2014095214.tif 000004
【図２】
2014095214.tif 000005
【図３】
2014095214.tif 000006
【図４】
2014095214.tif 000007
【図５】
2014095214.tif 000008
【図７】
2014095214.tif 000009